(57)【要約】      （修正有）【課題】恒久的な電気的接続を提供し、地板上に大型のアキュムレータを保持することもできる携帯用物品を提供する。【解決手段】電子モジュール１０を封入するための少なくとも中間部分２及び裏蓋３を備える携帯用物品に関し、電子モジュール１０は電気エネルギアキュムレータ５を受承するために配設したハウジングを備える地板を含み、電子モジュール１０は、少なくとも１つの電気的接触領域を有する少なくとも１つの回路６、及びアキュムレータ５と少なくとも１つの接触領域との間の電気的接続を提供するための接続用接触部材８を更に含み、接続用接触部材８は弾性変形可能である。【選択図】図６
2014095705.tif 000002
【特許請求の範囲】
【請求項１】
電子モジュール（１０）を封入するための少なくとも中間部分（２）及び裏蓋（３）を備える携帯用物品（１００）であって、
前記電子モジュール（１０）は電気エネルギアキュムレータ（５）を受承するために配設したハウジング（４１）を備える地板（４）を含み、
前記電子モジュール（１０）は、少なくとも１つの電気的接触領域（７）を有する少なくとも１つの回路（６）、及び前記アキュムレータ（５）と前記少なくとも１つの接触領域（７）との間の電気的接続をおこないかつ弾性変形可能な接続用接触部材（８）を更に含み、
携帯用物品（１００）において、
前記接続用接触部材（８）は中央部分（８１）を含む成形済みストリップから形成され、前記成形済みストリップの端部（８２）には、前記電子モジュール（１０）をクランプ留めすることによって前記電気エネルギアキュムレータ（５）を前記ハウジング（４１）内に保持するよう配設される少なくとも１つの第１の収束アーム（８３）及び少なくとも１つの第２の収束アーム（８３）が延在することを特徴とする、携帯用物品（１００）。
【請求項２】
前記少なくとも１つの第１のアーム（８３）及び前記少なくとも１つの第２のアーム（８３）は、同一平面内に収束することを特徴とする、請求項１に記載の携帯用物品（１００）。
【請求項３】
前記中央部分（８１）は平坦であり、前記平坦な部分は、前記裏蓋（３）を前記携帯用物品の前記中間部分（２）に固定した場合に前記電気エネルギアキュムレータ（５）と接触することを特徴とする、請求項１又は２に記載の携帯用物品（１００）。
【請求項４】
前記中央部分（８１）は前記電気エネルギアキュムレータ（５）と接触するよう配設される少なくとも１つの頂部（８４）を含み、前記中間部分（２）に固定された前記裏蓋（３）は、前記接続用接触部材（８）の前記少なくとも１つの頂部（８４）を介して前記電子モジュール（１０）に力を印加することを特徴とする、請求項１又は２に記載の携帯用物品（１００）。
【請求項５】
前記中央部分（８１）は、前記少なくとも１つの頂部（８４）を形成する少なくとも１つの突出部分（８７）を含むように変形することを特徴とする、請求項４に記載の携帯用物品（１００）。
【請求項６】
前記中央部分（８１）は、前記中央部分（８１）から延在しかつ前記少なくとも１つの頂部（８４）を形成する、少なくとも１つの隆起部（８６）を含むことを特徴とする、請求項４に記載の携帯用物品（１００）。
【請求項７】
前記中央部分（８１）は、２つの前記頂部（８４）を含むことを特徴とする、請求項４〜６のいずれか１項に記載の携帯用物品（１００）。
【請求項８】
前記各アーム（８３）は、発散するように湾曲する自由端部（８５）を有することを特徴とする、請求項１〜７のいずれか１項に記載の携帯用物品（１００）。
【発明の詳細な説明】
【技術分野】
【０００１】
本発明は、電子モジュールを封入するための少なくとも中間部分及び裏蓋を備える携帯用物品に関し、上記電子モジュールは電気エネルギアキュムレータを受承するために配設したハウジングを備える地板を含み、上記電子モジュールは、少なくとも１つの電気的接触領域を有する少なくとも１つの回路、及び上記アキュムレータと上記少なくとも１つの接触領域との間の電気的接続を提供するための接続用接触部材を更に含み、上記接続用接触部材は弾性変形可能である。
【０００２】
本発明はまた、少なくとも１つのこのタイプの構造を備える時計にも関する。
【０００３】
本発明は時計学の分野に関し、電池バッテリ等のアキュムレータで給電される少なくとも１つの電子又は電気回路を備える腕時計の分野に特に関する。より具体的には、本発明は地板の両側におけるアキュムレータと回路との間の機械的及び電気的接続に関する。
【背景技術】
【０００４】
腕時計内部の電気的接触の品質は、特に加速中又は衝撃時といったいずれの使用環境においても恒久的に保証されなければならない。より詳細には、一般には電池バッテリであるアキュムレータからの恒久的な電力供給には、アキュムレータの極と、利用する１つ又は複数の回路との間の極めて良好な接続が必要である。特に、バネ舌状部で形成されるハウジング内に電池バッテリを固定し、このハウジングによって電池バッテリの端子の１つとの接触を保証しつつ電池バッテリを保持することが公知である。他方の端子における接触は一般に可撓性コネクタを介して、又は好ましくはバネを形成する耳部を介して達成され、これはネジ又はリベットによって地板に固定される。
【０００５】
利用する回路に関して、溶接した可撓性コネクタ、プラグインバー、若しくは回路上に押し付けられたバネ耳部、またネジ、リベット等で形成される接触、又は回路をその縁部の厚さ全体にわたってクランプ留めする小型ジャンパを形成する接触が公知である。
【０００６】
極めて少ない部品数で高品質の恒久的接触を達成するために、例えばＭＩＹＯＴＡによる特許文献１から、２本のアームを備えるバネも知られており、アームのうちの一方は回路上に支持され、他方は電池バッテリ上に支持され、腕時計の裏蓋によって所定の位置に保持される。
【０００７】
しかしながら、これらのアームは同一方向に支持され、バネ耳部は回路上に恒久的に支持されることが保証されているわけではない。従って、衝撃又は突然の運動が発生した場合、バネ耳部を支持できない場合がある。またこのような配置は、電池バッテリを備える地板上に回路を組付けるための機械的接続を必要とする。
【先行技術文献】
【特許文献】
【０００８】
【特許文献１】特開平１１-２８１７７６号
【発明の概要】
【発明が解決しようとする課題】
【０００９】
従って本発明の目的は、電気アキュムレータと地板上に設置した電気回路との間の電気的接続を形成するための要素を備える携帯用物品であって、恒久的な電気的接続を提供し、上記地板上に大型のアキュムレータを保持することもできる、携帯用物品を提供することを提案することによって、先行技術の欠点を克服することである。
【課題を解決するための手段】
【００１０】
従って、本発明は、電子モジュールを封入するための少なくとも中間部分及び裏蓋を備える携帯用物品であって、上記電子モジュールは電気エネルギアキュムレータを受承するために配設したハウジングを備える地板を含み、上記電子モジュールは、少なくとも１つの電気的接触領域を有する少なくとも１つの回路、及び上記アキュムレータと上記少なくとも１つの接触領域との間の電気的接続を提供するための接続用接触部材を更に含み、上記接続用接触部材は弾性変形可能である、携帯用物品に関し、上記接続用接触部材は中央部分を含む成形済みストリップから形成され、この成形済みストリップの両端には、上記電子モジュールをクランプ留めすることによって上記電気エネルギアキュムレータをそのハウジング内に保持するよう配設される少なくとも１つの第１の収束アーム及び少なくとも１つの第２の収束アームが延在することを特徴とする。
【００１１】
本発明の１つの利点は、本発明が、バッテリが地板に適切に保持された携帯用物品を提供することである。
【００１２】
第１の有利な実施形態では、上記少なくとも１つの第１のアーム及び少なくとも１つの第２のアームは、同一平面内に収束する。
【００１３】
第２の有利な実施形態では、中央部分は平坦であり、上記平坦な部分は、裏蓋を中間部分に固定した場合に上記電気エネルギアキュムレータと接触する。
【００１４】
第３の有利な実施形態では、中央部分は上記電気エネルギアキュムレータと接触するよう配設される少なくとも１つの頂部を含み、中間部分に固定された裏蓋は、上記接続用接触部材の少なくとも１つの頂部を介して上記電子モジュールに力を印加する。
【００１５】
別の有利な実施形態では、中央部分は、上記少なくとも１つの頂部を形成する少なくとも１つの突出部分を含むように変形する。
【００１６】
別の有利な実施形態では、中央部分は、上記中央部分から延在しかつ上記少なくとも１つの頂部を形成する、少なくとも１つの隆起部を含む。
【００１７】
別の有利な実施形態では、中央部分は２つの頂部を含む。
【００１８】
別の有利な実施形態では、各アームは発散する方向に曲がる自由端部を含む。
【００１９】
本発明の他の特徴及び利点は、添付の図面を参照して以下の詳細な説明を読むことにより明らかになるであろう。
【図面の簡単な説明】
【００２０】
【図１】図１は、本発明による携帯用電子装置の概略断面図である。
【図２】図２は、本発明による電子装置のバネの概略断面図である。
【図３】図３は、本発明による電子装置のバネの変形例の概略上面図を示す。
【図４】図４は、本発明による電子装置のバネの変形例の概略上面図を示す。
【図５】図５は、本発明による電子装置の概略底面図を示し、本発明による電子装置の好ましい例の概略断面図を示す。
【図６】図６は、本発明による電子装置の好ましい例の概略断面図である。
【発明を実施するための形態】
【００２１】
本発明は時計学の分野に関し、電池バッテリ等のアキュムレータで給電される少なくとも１つの電子又は電気回路を備える腕時計の分野に特に関する。より具体的には、本発明は地板の両側におけるアキュムレータと回路との間の機械的及び電気的接続に関する。これは特に腕時計においては、電池バッテリの正端子とケースの裏蓋との間の接触をあらゆる状況においても保証することを意味する。
【００２２】
図１に示す本発明は、特に腕時計である時計１００の構造体１に関し、これは電子又は電気モジュール１０を封入するための少なくとも中間部分２及び裏蓋３を備える。この電子モジュール１０はディスプレイモジュールにデータを送信する。
【００２３】
このモジュール１０は、特に電池バッテリである電気エネルギアキュムレータ５を受承するよう配設される区画又はハウジング４１を有する地板４を含む。地板４は、電気エネルギアキュムレータを配置した区画４１が地板４のほぼ全表面を占めるよう配設してよい。例えば、図６に示すように区画４１を画定する周縁部４２を除いて地板の全表面を占めるような地板４の上記区画４１を想定できる。これにより、より大型の、従って潜在的により強力又は長寿命の電気エネルギアキュムレータを用いて携帯用物品を作動させることができる。このモジュール１０はまた、少なくとも１つの電気的接触領域７、及びアキュムレータ５と接触領域７との間の電気的接続を形成するための接続用接触部材８を有する少なくとも１つの回路６も含む。この接続用接触部材８は弾性変形可能であり、変形応力を受けた場合に、接触部材の弾性性能によって静止時の幾何学的形状に復帰しようとする。好ましいが非限定的な本発明の例では、接続用接触部材８は全体的に弾性であり、バネの形態で作製される。
【００２４】
本発明によると、接続用接触部材は成形済みストリップ８の形状を有する。この成形済みストリップ８は、図１に示すように平坦な外形を有する中央直線部分８１を含む。中央平坦部分８１の各端部８２には、少なくとも１つのアーム８３が延在する。成形済みストリップ８は、少なくとも第１のアーム８３及び少なくとも第２のアーム８３を含むことが明らかである。
【００２５】
成形済みストリップ８が第１のアーム８３及び第２のアーム８３を含む場合、上記成形済みストリップ８は、上記第１のアーム８３及び上記第２のアーム８３が同一平面内に延在するよう配設される。第１のアーム８３及び第２のアーム８３は、中央部分８１の平面に対して垂直な平面内に延在することが明らかである。
【００２６】
有利には、第１のアーム８３及び第２のアーム８３は収束するように延在する。アーム８３のこのような構成により、成形済みストリップ８は固有のクランプ留め機能を有することになる。実際、電気エネルギアキュムレータ５を地板に設置する際、上記アキュムレータ５をまず地板の区画内に配置する。続いて接続用接触部材を上記電子モジュール１０に固定する。これを達成するために、電子モジュール１０はモジュール１０の外面上に配設される２つのノッチ１１を有する。図５に示すように、これらノッチは正反対の位置となるよう作製される。
【００２７】
従って、接続用接触部材８を固定する際、第１のアーム８３及び第２のアーム８３を離間するよう移動させて、設けたノッチに挿入する。続いてアームにかかる応力が解放され、第１及び第２のアーム８３はその静止位置に戻ろうとし、これによって上記モジュール１０をクランプ留めする。そして、成形済みストリップ８をその最終位置に摺動させて配置するためには、成形済みストリップ８の中央部分に力を印加するだけでよい。この最終位置は、中央部分８１が電気エネルギアキュムレータ５と接触することを特徴とする。同様に、第１のアーム又は第２のアームは回路６の接触領域７と接触する。この接触領域７は回路６の縁部に配置できる金属被覆の形態をとる。その結果、電気エネルギアキュムレータと回路６との間で電気伝導が達成される。
【００２８】
有利には、各アームが電気伝導を達成できるよう、接触領域７を各ノッチに配設する。接続用接触部材８が固定されると、電子モジュール１０をケース内に配置し、裏蓋を固定する。裏蓋３は中間部分にネジ留めしても、打ち込んでも、スナップ留めしてもよい。好ましくは、電子モジュール１０及び裏蓋３は、上記裏蓋３と接続用接触部材８とが接触するように配設される。
【００２９】
図２、６に示す第１の変形例では、中央部分８１の外形は平坦でない。より具体的には、中央部分８１の外形は複数の頂部８４を備え、即ち中央部分８１は３次元構成である。これら頂部８４は、中央部分８１に配設され中央部分の平面に対して垂直に延在する隆起部８６であってよい。これら頂部８４は、上記中央部分８１を、これが非直線状外形を有するように、即ちこの外形が好ましくは電池バッテリに向かって延在する突出領域８７を含むように塑性変形することによって作製してよい。例えばこの外形は正弦波状又は三角形であってよい。
【００３０】
有利には、中央部分８１は２つの頂部８４を有するよう配設される。これら頂部８４は電気的接触を改善する。このような電気的接触の改善は、中央部分が３次元構成であることによるものである。実際、この変形例では、成形済みストリップ８の中央部分は、これが含む頂部８４を介してのみ、電気エネルギアキュムレータ５と接触する。中央部分が３次元構成であるという事実により、電子モジュール１０をケース１内に配置して裏蓋３を固定した際に力が発生する。この力は接続用接触部材８にかかり、接続用接触部材８はこの力を電子モジュール１０に伝達する。この力は、３次元構成の中央部分を覆うために必要な容積が、上記中央部分が平坦である場合よりも大きくなるという事実によって発生するものである。ケースの内側寸法が変化しなければ、力が発生する。
【００３１】
この力はまず、接続用接触部材８を電気エネルギアキュムレータ５上に押圧する。その結果、上記部材８によって形成される回路６と電気エネルギアキュムレータ５との間の電気的接触は効率的なものとなり、中断されにくいものとなる。
【００３２】
次にこの力は、携帯用物品のケース内で電子モジュール１０を固定する。実際、裏蓋３によって接続用接触部材８に印加される力は地板４上へと伝達され、次にこの地板３はディスプレイモジュール上に押圧される。その結果、電子モジュール１０は、接続用接触部材８及び裏蓋３で形成される組立体によって固定されて保持される。
【００３３】
図５に示す第２の変形例では、各アーム８３の自由端部８５は湾曲している。各自由端部８５は、上記アーム８３の湾曲と逆方向の湾曲を有するように湾曲する。従って、自由端部８５は発散するようになっていることが明らかである。アーム８３の自由端部８５のこのような構成により、上記接続用接触部材８の組付けが容易になる。実際、接続用接触部材８を電子モジュール１０に固定する際、湾曲した自由端部８５が上記モジュール１０と接触する。上記端部の発散方向への湾曲により、上記自由端部８５間に空間が形成され、それに従って上記アーム８３間にも空間が形成される。この空間により、ユーザが自らアーム８３を離間するように移動させる必要なく、接続用接触部材８を固定できる。このような動作は、ユーザが上記接続用接触部材８を固定しようとすると自動的に発生する。
【００３４】
図３、４に示す第３の変形例では、接続用接触部材８は、複数のアーム８３が中央部分８１の各端部８２から延伸するよう配設される。好ましくは、２本のアーム８３が中央部分８１の各端部８２から延伸する。このような場合、電子モジュール１０は、モジュール１０の外面上に配置したノッチを上記に応じて適合するよう配設される。ノッチ１１の数はアーム８３の数と同一とすることができ、又はノッチのサイズを、各ノッチ１１につき複数のアーム８３が存在できるようなものとすることもできる。
【００３５】
図３に示すこの変形例の第１の解決法では、アーム８３は、上から見た場合に中央部分の各端部がＹ字型形状を有するように延在することができる。この場合、成形済みストリップの様々なアームは全て１つの点で収束する。
【００３６】
図４に示す第２の解決法では、中央部分８１の各端部は、上から見た場合に中央部分の各端部がＴ字型形状を有するように、垂直部分を含むことができる。アーム８３は、中央部分の両側においてこの垂直部分から延伸する。この場合、成形済みストリップの様々なアームは全て１つの軸に収束する。
【００３７】
別の変形例では、電気エネルギアキュムレータ５が地板４の全表面を占めないようにし、それに応じて上記アキュムレータのための区画をサイズ決めすることができる。そして上記地板に開口を設け、接続用接触部材のためのノッチを、この開口において上記区画の近傍に作製する。
【００３８】
添付の請求項で定義する本発明の範囲から逸脱しない限りにおいて、上に挙げた本発明の様々な実施形態に対して、当業者に自明の様々な改変及び／又は改良及び／又は組合せを施してよいことは明らかである。
【符号の説明】
【００３９】
１      構造体
２      中間部分
３      裏蓋
４      地板
５      電気エネルギアキュムレータ
６      回路
７      接触領域
８      接続用接触部材
１０    モジュール
４１    ハウジング、区画
８１    中央部分
８２    端部
８３    アーム
８４    頂部
８５    自由端部
８６    隆起部
８７    突出部分
１００  携帯用物品、時計
【図１】
2014095705.tif 000003
【図２】
2014095705.tif 000004
【図３】
2014095705.tif 000005
【図４】
2014095705.tif 000006
【図５】
2014095705.tif 000007
【図６】
2014095705.tif 000008
【外国語明細書】
2014095705000001.pdf